Podtech/llm-jp-corpus-v4-ja_patent huggingface dataset:
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
工業熱分解プロセスの水リサイクルループにおいて、パイガスまたはパイガス副生成物を含有するプロセス水の汚損を低減する方法であって、
不飽和脂肪酸と第一級ジアミンとアクリル酸とのコポリマーから選択される第１ポリマーと、メタクリルアミドプロピルトリメチルアンモニウムクロリドとアクリル酸及び／またはアクリルアミドとのコポリマーから選択される第２ポリマーとのブレンドである１つ以上の防汚ポリマーであって、総量が５ｐｐｍ〜５００ｐｐｍである１つ以上の防汚ポリマーを、パイガス及び／またはパイガス副生成物を含有するプロセス水に適用して、処理されたプロセス水を形成することと、
前記処理されたプロセス水を前記水リサイクルループ内の内部表面と接触させることと、を含む、方法。
【請求項２】
前記１つ以上の防汚ポリマーは、前記第１ポリマーが前記第２ポリマーに対して重量で２５：７５〜７５：２５となるブレンドである、請求項１に記載の方法。
【請求項３】
前記不飽和脂肪酸がトール油脂肪酸からなるか、または前記第一級ジアミンがジエチレントリアミンからなるか、またはそれら両方がそれぞれからなる、請求項１または２に記載の方法。
【請求項４】
前記第１ポリマーが、当該第１ポリマーの重量を基準として、５０重量％〜９０重量％のトール油脂肪酸含量、５重量％〜４０重量％のジエチレントリアミン含量、及び５重量％〜３５重量％のアクリル酸含量を有する、請求項１〜３のいずれか一項に記載の方法。
【請求項５】
前記適用が、熱分解プラント中のコアレッサーの下流である、請求項１〜４のいずれか一項に記載の方法。
【請求項６】
前記プロセス水が、６０℃〜１１０℃の温度で存在する、請求項１〜５のいずれか一項に記載の方法。
【請求項７】
前記水リサイクルループが、１つ以上の急冷水塔、油／水分離器、プロセス水ストリッパー、希釈蒸気発生器、または流体接続でそれらの組み合わせを備える、請求項１〜６のいずれか一項に記載の方法。
【請求項８】
前記水リサイクルループが、希釈蒸気システムを備える、請求項１〜７のいずれか一項に記載の方法。
【請求項９】
前記工業熱分解プロセスが、熱分解プロセスを含む、請求項１〜８のいずれか一項に記載の方法。
【請求項１０】
前記方法が、１０ｐｐｍ〜２５０ｐｐｍの１つ以上の防汚ポリマーを適用すること、または１００ｐｐｍ〜２００ｐｐｍの１つ以上の防汚ポリマーを適用することを含む、請求項１〜９のいずれか一項に記載の方法。
【請求項１１】
前記処理されたプロセス水が、前記プロセス水よりも２５重量％〜２００重量％多く分散したパイガス及び／もしくはパイガス副生成物、または前記プロセス水よりも１重量％〜１５０重量％多く分散したパイガス及び／もしくはパイガス副生成物を含む、請求項１〜１０のいずれか一項に記載の方法。
【請求項１２】
処理されたプロセス水であって、
ａ．工業熱分解プロセスの水リサイクルループからのプロセス水であって、前記プロセス水がパイガスまたはパイガス副生成物を含む、プロセス水と、
ｂ．前記処理されたプロセス水に対する重量が５ｐｐｍ〜５００ｐｐｍである１つ以上の防汚ポリマーであって、不飽和脂肪酸と第一級ジアミンとアクリル酸とのコポリマーから選択される第１ポリマーと、メタクリルアミドプロピルトリメチルアンモニウムクロリドとアクリル酸及び／またはアクリルアミドとのコポリマーから選択される第２ポリマーとのブレンドである、１つ以上の防汚ポリマーと、を含み、
前記処理されたプロセス水が、前記プロセス水よりも２５重量％〜２００重量％多く分散したパイガス及び／またはパイガス副生成物を含む、処理されたプロセス水。
【請求項１３】
工業熱分解プロセスのプロセス水中の汚損を低減するためのポリマー組成物の使用であって、前記プロセス水が、６０℃〜１１０℃の温度を有し、パイガスまたはパイガス副生成物を含有し、前記ポリマー組成物が、不飽和脂肪酸と第一級ジアミンとアクリル酸とのコポリマーから選択される第１ポリマーと、メタクリルアミドプロピルトリメチルアンモニウムクロリドとアクリル酸及び／またはアクリルアミドとのコポリマーから選択される第２コポリマーとのブレンドである、ポリマー組成物の使用。
【請求項１４】
工業熱分解プロセスに存在する水リサイクルループ内の汚損を低減するための請求項１３に記載の組成物の使用であって、前記水リサイクルループが希釈蒸気システムを含む、使用。
【請求項１５】
不飽和脂肪酸と第一級ジアミンとアクリル酸との第１コポリマーが、メタクリルアミドプロピルトリメチルアンモニウムクロリドとアクリルアミドとの第２コポリマーに対して重量で２５：７５〜７５：２５となるブレンドを含む組成物。
【請求項１６】
前記不飽和脂肪酸がトール油脂肪酸からなるか、または前記第一級ジアミンがジエチレントリアミンからなるか、またはそれら両方がそれぞれからなる、請求項１５に記載の組成物。
【請求項１７】
前記第１ポリマーが、当該第１ポリマーの重量を基準として、５０重量％〜９０重量％のトール油脂肪酸含量、５重量％〜４０重量％のジエチレントリアミン含量、及び５重量％〜３５重量％のアクリル酸含量を有する、請求項１５または１６に記載の組成物。
【請求項１８】
熱分解プロセスに存在する水リサイクルループ内の汚損を低減するための請求項１５〜１７のいずれか一項に記載の組成物の使用であって、前記水リサイクルループが希釈蒸気システムを含む、組成物の使用。
【請求項１９】
処理されたプロセス水であって、
ａ．工業熱分解プロセスの水リサイクルループからのプロセス水であって、パイガスまたはパイガス副生成物を含むプロセス水と、
ｂ．５ｐｐｍ〜５００ｐｐｍのエチレングリコールとプロピレングリコールとの一つ以上のコポリマーと、を含み、
前記処理されたプロセス水が、当該プロセス水よりも２５重量％〜２００重量％多く分散したパイガス及び／またはパイガス副生成物を含む、処理されたプロセス水。
【請求項２０】
エチレングリコールとプロピレングリコールとのコポリマーが、１０：９０〜５０：５０のエチレングリコール：プロピレングリコールのモル比を有する、請求項１９に記載のプロセス水。
【請求項２１】
工業熱分解プロセスの水リサイクルループにおいて、パイガスまたはパイガス副生成物を含有するプロセス水の汚損を低減する方法であって、
総量が５ｐｐｍ〜５００ｐｐｍである、エチレングリコールとポリピレングリコールとの一つ以上のコポリマーを前記プロセス水に適用して、処理されたプロセス水を形成することと、前記処理されたプロセス水を前記水リサイクルループ内の内部表面と接触させることと、を含む、方法。
【請求項２２】
熱分解プロセスに存在する水リサイクルループ内の汚損を低減するために、エチレングリコールとプロピレングリコールとの一つ以上のコポリマーを使用することであって、前記水リサイクルループが希釈蒸気システムを含む、一つ以上のコポリマーの使用。
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
パルス波形を生成するように構成された信号発生器と、
前記信号発生器と連結され、前記パルス波形を受信するように構成されたアブレーション装置であって、スパインのセットを含み、前記スパインのセットの１本以上のスパインを介して前記パルス波形を受け取ることに応じてパルス電界を組織に送出するように構成された前記アブレーション装置と
を含み、各スパインは、
前記１本以上のスパインの各々の表面に形成された独立してアドレス指定可能な電極の少なくとも１つのセットであって、前記電極の少なくとも１つのセットの電極の各セットが、それに関連する絶縁リード線を有し、前記絶縁リード線が前記１本以上のスパインのそれぞれの本体に配置されている、前記電極の少なくとも１つのセット
を含む、システム。
【請求項２】
前記絶縁リード線が、対応する絶縁体の絶縁破壊なしに少なくとも約７００Ｖの電圧電位を維持するように構成されている、請求項１に記載のシステム。
【請求項３】
使用中に心臓刺激のためのペーシング信号を生成するように構成される心臓刺激装置であって、前記信号発生器に通信可能に連結され、前記ペーシング信号の表示を前記信号発生器に送信するようにさらに構成された前記心臓刺激装置をさらに備え、
前記信号発生器が、前記ペーシング信号の前記表示に同期して前記パルス波形を生成するようにさらに構成されている、
請求項１に記載のシステム。
【請求項４】
前記信号発生器が、前記ペーシング信号の前記表示に対して時間オフセットを備える前記パルス波形を生成するようにさらに構成されている、請求項３に記載のシステム。
【請求項５】
前記アブレーション装置が、前記アブレーション装置の遠位端を形成するように前記スパインのセットを繋留するように構成された遠位キャップをさらに含む、請求項１に記載のシステム。
【請求項６】
前記電極の少なくとも１つのセットにおける各電極が約０．５ｍｍ２〜約２０ｍｍ２の表面積を有する、請求項１に記載のシステム。
【請求項７】
前記スパインのセットの各スパインは、約０．２ｍｍ２〜約１５ｍｍ２の断面積を有する、請求項１に記載のシステム。
【請求項８】
前記スパインのセットは、前記アブレーション装置の遠位部に送出アセンブリを形成し、前記送出アセンブリは、前記スパインのセットが、前記アブレーションの長手方向軸から半径方向外側に曲がる第１の構成と、前記スパインのセットが前記アブレーション装置の前記長手方向軸に略平行に配置される第２の構成との間で変形するよう構成されている、請求項１に記載のシステム。
【請求項９】
前記アブレーション装置は、反対の極性を有する電極の少なくとも１つの第１のセット及び電極の少なくとも１つの第２のセットを構成することによって、前記電極のセットを介して前記パルス電界を組織に送出するようにさらに構成されている、請求項１に記載のシステム。
【請求項１０】
前記アブレーション装置は、前記アブレーション装置の近位端におけるカテーテルシャフトをさらに含み、前記スパインのセットは、前記カテーテルシャフトの遠位端に連結され、使用中に拡張構造を形成し、前記拡張構造の第１の平面における断面積は、前記拡張構造の第２の平面における断面積と異なり、前記第１の平面及び前記第２の平面は、前記カテーテルシャフトの長手方向軸に直交する、請求項１に記載のシステム。
【請求項１１】
前記アブレーション装置は、前記アブレーション装置の近位端におけるカテーテルシャフトをさらに含み、前記スパインのセットは、前記カテーテルシャフトの遠位端に連結され、使用中に拡張構造を形成し、前記電極のセットの少なくとも１本の電極または少なくともその一部は、前記拡張構造の遠位端面に配置され、前記遠位端面は、前記カテーテルシャフトの長手方向軸に直交する、請求項１に記載のシステム。
【請求項１２】
前記スパインのセットは、前記拡張構造の内側の点でそれらの遠位端に収束する、請求項１１に記載のシステム。
【請求項１３】
前記スパインのセットが拡張構造を形成する場合、少なくとも１本の電極は、心内膜壁と係合して前記少なくとも１本の電極の活性化によって損傷を生成するように構成される、請求項１０に記載のシステム。
【請求項１４】
前記スパインのセットは、非対称形状を有する拡張構造を形成するように構成され、その遠位部が近位部よりも球根状である、請求項１に記載のシステム。
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
被検体による食べ物及び/又は飲み物の摂取をモニタリングする装置であって、制御ユニットを有し、前記制御ユニットは：
前記被検体の1つ以上の生理学的特徴の測定結果を取得するように構成される第1取得モジュール；
外的に印加される磁場により前記被検体の身体に発生する渦電流の測定結果を取得するように構成される第2取得モジュール；
前記1つ以上の生理学的特徴の各自それぞれの周波数に基づいて、1つ以上のフィルタリング・ステージそれぞれのカットオフ周波数を設定するように構成される設定モジュール；
前記1つ以上の生理学的特徴に起因する信号成分を除去するために前記1つ以上のフィルタリング・ステージを利用して前記渦電流の測定結果をフィルタリングするように構成されるフィルタリング・モジュール；及び
食べ物及び/又は飲み物が前記被検体の腹部に存在するか否かを判断するために、フィルタリングされた測定結果を処理するように構成される処理モジュール；
を有する、装置。
【請求項２】
前記1つ以上の生理学的特徴は、心拍速度及び呼吸速度のうちの1つ以上を含む、請求項1に記載の装置。
【請求項３】
前記処理モジュールは：
前記フィルタリングされた測定結果の或る時点での振幅を閾値と比較することによって、
食べ物及び/又は飲み物が前記被検体の腹部に存在するか否かを判断するために、フィルタリングされた測定結果を処理するように構成される、請求項1又は2に記載の装置。
【請求項４】
前記処理モジュールは：
前記或る時点での振幅が閾値を上回る場合に食べ物及び/又は飲み物が前記腹部に存在する、と判断することによって、
食べ物及び/又は飲み物が前記被検体の腹部に存在するか否かを判断するために、フィルタリングされた測定結果を処理するように構成される、請求項3に記載の装置。
【請求項５】
前記処理モジュールは：
前記被検体内の蠕動に関する信号を識別するために前記フィルタリングされた測定結果を処理すること；及び
前記或る時点での振幅が閾値を上回り且つ前記蠕動に関する信号が前記被検体内で蠕動が生じていることを示す場合に、食べ物及び/又は飲み物が前記被検体の腹部に存在する、と判断することによって、
食べ物及び/又は飲み物が前記被検体の腹部に存在するか否かを判断するために、フィルタリングされた測定結果を処理するように更に構成される、請求項3に記載の装置。
【請求項６】
前記処理モジュールは：
前記フィルタリングされた測定結果の振幅が所定の時間ウィンドウにわたって変化した量を決定すること；及び
前記フィルタリングされた測定結果の振幅が所定の時間ウィンドウにわたって変化した量を閾値と比較することによって、
食べ物及び/又は飲み物が前記被検体の腹部に存在するか否かを判断するために、フィルタリングされた測定結果を処理するように構成される、請求項1又は2に記載の装置。
【請求項７】
前記処理モジュールは：
前記量が閾値を上回る場合に食べ物及び/又は飲み物が前記腹部に存在する、と判断することによって、
食べ物及び/又は飲み物が前記被検体の腹部に存在するか否かを判断するために、フィルタリングされた測定結果を処理するように更に構成される、請求項6に記載の装置。
【請求項８】
前記処理モジュールは：
前記被検体内の蠕動に関する信号を識別するために前記フィルタリングされた測定結果を処理すること；及び
前記量が閾値を上回り且つ前記蠕動に関する信号が前記被検体内で蠕動が生じていることを示す場合に、食べ物及び/又は飲み物が前記被検体の腹部に存在する、と判断することによって、
食べ物及び/又は飲み物が前記被検体の腹部に存在するか否かを判断するために、フィルタリングされた測定結果を処理するように構成される、請求項6に記載の装置。
【請求項９】
前記装置は：
前記被検体内に渦電流を発生させる励起コイル；及び
前記被検体内の前記渦電流を測定するための測定コイル；
を更に有する、請求項1ないし8のうち何れか一項に記載の装置。
【請求項１０】
前記装置は：
前記被検体の1つ以上の生理学的特徴の測定結果を取得する1つ以上の生理学的特徴センサ；
を更に有する、請求項1ないし9のうち何れか一項に記載の装置。
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
医療用の輸液又は輸血装置のドリップチャンバ（１）に使用されるフート弁（７）であって、閉位置と開位置との間で軸方向に移動可能なフロートオブチュレータ（１１）が協働する環状の弁座（１５）を備え、前記フート弁（７）は、弾性的に変形可能な軸方向部分（９）を有する格納ケージブッシュ（８）を備え、前記弾性的に変形可能な軸方向部分（９）の内部で前記フロートオブチュレータ（１１）がガイドされた態様で浮動し、前記格納ケージブッシュ（８）の前記軸方向部分（９）及び前記フロートオブチュレータ（１１）は、それぞれ相対する表面（１４，１６；１４，１８）を備え、前記格納ケージブッシュ（８）の半径方向の変形によって、前記フロートオブチュレータ（１１）が前記環状の弁座（１５）から離れる方向に軸方向の推力が生じるように構成されていることを特徴とする、フート弁（７）。
【請求項２】
前記格納ケージブッシュ（８）は前記環状の弁座（１５）を形成する平坦な基部（１０）を備え、前記フロートオブチュレータ（１１）は、軟質の円板状の膜（１３）を備え、前記軟質の円板状の膜（１３）は、前記閉位置で前記平坦な基部（１０）に当接することを特徴とする、請求項１に記載のフート弁。
【請求項３】
前記格納ケージブッシュ（８）の側壁は、弾性的に変形可能な軸方向部分（９）の頂部によって形成され、自由端は広がった表面（１４）を有し、フロートオブチュレータ（１１）の対応する広がった環状の表面（１６；１８）に面することを特徴とする、請求項１又は請求項２に記載のフート弁。
【請求項４】
医療用の輸液又は輸血装置のドリップチャンバは、半径方向に弾性的に変形可能な側壁（２）と、出口開口（４）を有する底壁（３）とを備える中空の長尺な円筒状の本体（１）、並びに前記出口開口（４）に面すると共に、閉位置と開位置との間で軸方向に移動可能なフロートオブチュレータ（１１）が協働する環状の弁座（１５）を有するフート弁（７）を備え、前記フート弁（７）は、前記本体（１）の前記側壁（２）と、前記底壁（３）との間に密着するように取り付けられている格納ケージブッシュ（８）を備え、前記格納ケージブッシュ（８）は、弾性的に変形可能な軸方向部分（９）を有し、前記弾性的に変形可能な軸方向部分（９）の内部で前記フロートオブチュレータ（１１）はガイドされた態様で浮動し、前記格納ケージブッシュ（８）の前記軸方向部分（９）と、前記フロート（１１）とは、それぞれ相対する表面（１４，１６；１４，１８）を備え、前記本体（１）の側壁（２）の半径方向の変形は、前記格納ケージブッシュ（８）の軸方向部分（９）に伝わり、フロートオブチュレータ（１１）が前記環状の弁座（１５）から離れる方向に軸方向の推力が生じるように構成されていることを特徴とする、フート弁（７）を備える、ドリップチャンバ。
【請求項５】
前記格納ケージブッシュ（８）は、前記環状の弁座（１５）を形成する平坦な基部（１０）を有し、前記フロートオブチュレータ（１１）は、前記閉位置において前記平坦な基部（１０）に当接する軟質の円板状の膜（１３）を備えることを特徴とする、請求項４に記載のドリップチャンバ。
【請求項６】
前記格納ケージブッシュ（８）の側壁は弾性的に変形可能な軸方向部分（９）の頂部により形成され、広がった表面（１４）を備える自由端は、フロートオブチュレータ（１１）の対応する広がった環状の表面（１６；１８）に面することを特徴とする、請求項４又は請求項５に記載のドリップチャンバ。
【手続補正２】
【補正対象書類名】明細書
【補正対象項目名】００１５
【補正方法】変更
【補正の内容】
【００１５】
フロートオブチュレータ１１は、図示するように２つの部品から作られる若しくは単一の部品から作られる、下壁１２及び成形された環状の表面１６を有する中空の本体によって形成されており、格納ケージブッシュ８の内部でガイドされた態様で浮動する。
【手続補正３】
【補正対象書類名】明細書
【補正対象項目名】００１７
【補正方法】変更
【補正の内容】
【００１７】
フロートオブチュレータ１１の側壁は、ドリップチャンバ１の端部６の方向に広がる環状の表面１６を有し、格納ケージブッシュ８の変形可能な軸方向部分９の対応する広がった表面１４に面して配置されている。
【手続補正４】
【補正対象書類名】明細書
【補正対象項目名】００２０
【補正方法】変更
【補正の内容】
【００２０】
フロートオブチュレータ１１の開閉の変位は、格納ケージブッシュ８によって効果的にガイドされる。加えて、２本の指を使用して単にドリップチャンバ１の弾性的に変形可能な側壁２を半径方向に変形させ、それに応じて格納ケージブッシュ８の変形可能な軸方向部分９を半径方向に変形させ、自由端である広がった表面１４と広がった環状の表面１６との間の相互作用によって、ドリップチャンバ１の端部６に向いた軸方向の推力をフロートオブチュレータ１１に伝達することで、フロートオブチュレータ１１の閉位置から開位置への移動を、手動であっても、楽に、かつ容易な態様で行うことができる。
【手続補正５】
【補正対象書類名】明細書
【補正対象項目名】００２３
【補正方法】変更
【補正の内容】
【００２３】
好ましいと考えられるこのような変形例では、先に説明したものと同一又は類似の部分を同じ参照符号を用いて表している。先の実施形態との違いは、フロートオブチュレータ１１の本体の平坦な基部１０が側壁と共に単一の部品によって作られていることにあり、１７で示されるように長尺の円筒形状を有する。１８に示されるように、円筒壁１７の上端部は、実質的に半径方向外側に向かって回転し、格納ケージブッシュ８の変形可能な軸方向部分９の広がった表面１４と連動するため、丸い面を有しており、ある意味で先に説明したものと同じである。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
磁気共鳴イメージング（MRI）を使用する磁場に依存するリラクソメトリーのための方法であって、方法は、   
（ア）第1の複数の時点で第1の磁気共鳴信号をサンプリングすることによって第1の磁 場強度で静磁場を有するMRIシステムを用いて被検体から第1のデータを取得する工程と、
（イ）MRIシステムの静磁場を第2の磁場強度に調整する工程と、   
（ウ）第2の複数の時点で第2の磁気共鳴信号をサンプリングすることによって、MRIシステムの静磁場が第2の磁場強度にある間に、MRIシステムを用いて被検体から第2のデータを取得する工程と、   
（エ）緩和パラメータの関数として、磁気共鳴信号の緩和を表す信号モデルに第1のデータをフィッティングさせることによって緩和パラメータの第1の値を推定する工程と、 
（オ）第2のデータを信号モデルにフィッティングさせることによって緩和パラメータの第2の値を推定する工程と、そして   
（カ）緩和パラメータの第1の値と第1の磁場強度とを関連付ける事および緩和パラメータの第2の値を第2の磁場強度と関連付ける事によって、分散データを生成する工程と、
で構成される方法。 
【請求項２】
請求項1に記載の方法において、方法は、   
前記複数の位置の各々における前記緩和パラメータの第1の値を推定するために、前記第1のデータが取得される視野内の複数の位置について、ステップ（d）が繰り返され、
前記第2のデータが取得される視野内の複数の位置についてステップ（e）が繰り返されて、それにより複数の位置のそれぞれにおける緩和パラメータの第2の値が推定され、 そして、   
ステップ（f）で生成された前記分散データは、複数の位置の各々における緩和パラメ ータの第1の値を第1の磁場強度と関連付け、複数の位置のそれぞれにおける緩和パラメー タの第2の値を第2の磁場強度と関連付ける、方法。 
【請求項３】
前記MRIシステムの前記静磁場は、前記第1の磁場強度から前記第2の磁場強度までMRIシステムの静磁場を上昇させることによって調整される、請求項1に記載の方法。 
【請求項４】
前記MRIシステムの前記静磁場が、15分以内に前記第1の磁場強度から前記第2の磁場強度まで傾斜する、請求項3に記載の方法。 
【請求項５】
前記MRIシステムの前記静磁場が、２分以内に前記第1の磁場強度から前記第2の磁場強度まで傾斜する、請求項4に記載の方法。 
【請求項６】
前記第1の磁場強度と前記第2の磁場強度との間の差が約0.1テスラである、請求項1に記載の方法。 
【請求項７】
前記緩和パラメータは、横緩和時間または横緩和速度のうちの1つである、請求項1に記載の方法。 
【請求項８】
前記分散データから、前記被験体に関連する物理的パラメータを推定することをさらに含む、請求項7に記載の方法。 
【請求項９】
前記物理的パラメータが、前記被験体における鉄含有量の推定値である、請求項8に記載の方法。 
【請求項１０】
前記緩和パラメータは、縦緩和時間または縦緩和速度のうちの1つである、請求項1に記載の方法。 
【請求項１１】
磁気共鳴画像法（MRI）を使用して被験体の領域内の定量的かつ生理学的パラメータのマップを作成する方法であって、方法は、   
（ア）MRIシステムを用いて領域内に磁気共鳴信号を生成する工程と、   
（イ）MRIシステムを使用して、領域で生成された磁気共鳴信号をサンプリングすることによって、領域からデータセットを取得する工程と、   
（ウ）工程（ア）及び（イ）を複数回繰り返して複数のデータセットを取得する工程において、各データセットは、領域内の磁気共鳴信号を生成する前に、MRIシステムの主磁場の磁場強度を調整することによって異なる磁場強度で取得される、工程と、   
（エ）前記複数のデータセットのそれぞれを、緩和パラメータの関数として磁気共鳴信号の緩和を表す信号モデルにフィッティングすることによって、領域内の緩和パラメータの値を推定する工程と、   
（オ）工程（エ）で前記推定された緩和パラメータの値を、緩和パラメータの値を推定するために使用されたデータセットが取得された磁場強度と関連付けることによって、領域内の各位置について分散データを生成する工程と、   
（カ）前記分散データから領域内の各位置で定量的かつ生理学的パラメータを計算することによって、領域内の定量的かつ生理学的パラメータのマップを生成する工程と、   
で構成される方法。 
【請求項１２】
前記MRIシステムの前記静磁場は、前記工程（c）において、MRIシステムの静磁場を前記第1磁場強度から前記第2磁場強度まで傾斜させることによって調整される、請求項11に記載の方法。 
【請求項１３】
前記MRIシステムの前記静磁場が、15分以内に前記第1の磁場強度から前記第2の磁場強度まで傾斜する、請求項12に記載の方法。 
【請求項１４】
前記MRIシステムの前記静磁場が、２分以内に前記第1の磁場強度から前記第2の磁場強度まで傾斜する、請求項13に記載の方法。 
【請求項１５】
前記第1の磁場強度と前記第2の磁場強度との間の差は、約0.1テスラである、請求項12に記載の方法。
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
手袋の形態である、点字に関する情報の送受信装置であって、
複数の接触部と、複数の振動信号装置とを備え、
前記複数の接触部は、５本の指の内側の部分と、掌とに配置され、且つ、信号を送信するために用いられ、且つ、異なる前記接触部間における１回の接続は、点字の隆起ドットの１つとして定義され、
前記振動信号装置は、前記５本の指の末節骨の後側の部分と、手の甲とに配置され、且つ、信号を受信するために用いられ、且つ、特定の指又は手の甲における前記振動信号装置に送信される１つの振動信号は、点字の隆起ドットの１つに対応している、情報の送受信装置。
【請求項２】
請求項１に記載の送受信装置であって、
前記複数の接触部は、複数の指の指先と、掌と、に配置される、送受信装置。
【請求項３】
請求項１に記載の送受信装置であって、
追加の接触部を２つ更に備え、
前記追加の接触部は、人差し指の外側に配置される、送受信装置。
【請求項４】
請求項１に記載の送受信装置であって、
前記複数の接触部は、導電性材料で構成される、送受信装置。
【請求項５】
請求項１に記載の送受信装置であって、
固定部材を更に備え、
前記固定部材は、手首に配置される、送受信装置。
【請求項６】
請求項１〜請求項５の何れか１つに記載の情報の送受信装置であって、
制御部を更に備え、
前記制御部は、情報の送受信と、情報の分析及び変換とをするものであり、
前記制御部は、前記複数の接触部と前記複数の振動信号装置とに配線によって接続されている、送受信装置。
【請求項７】
請求項６に記載の送受信装置であって、
前記制御部は、コンピュータ又はスマートフォンに情報を送受信するため、配線又はワイヤレス接続によってコンピュータ又はスマートフォンに接続するように構成される、送受信装置。
【請求項８】
請求項７に記載の送受信装置であって、
情報の送受信を、Bluetooth（登録商標）又はWi-Fiによって行う、送受信装置。
【請求項９】
請求項１〜請求項８の何れか１つに記載の情報の前記送受信装置を用いて点字に関する情報を送受信する方法であって、
点字の隆起ドットとして定義される送信信号を生成するステップと、
前記送信信号は、前記複数の接触部間において順次又は同時になされる接触のパターンに応じて形成され、且つ、異なる前記接触部間における１回の接続は、点字の隆起ドットの１つとして定義され、
前記送受信装置が受信した受信信号を、前記振動信号装置における対応振動に変換するステップと、
前記受信信号は、点字の隆起ドットとして定義される又は関連付けられる信号であり、且つ、前記振動信号装置の１回の振動は、点字の隆起ドットの１つに対応しており、
前記送受信装置に接続されたコンピュータ又はスマートフォンにインストールされたソフトウェアにより、点字をアルファベット又は音声に変換し、アルファベット又は音声を点字に変換するステップと、を備えている、方法。
【請求項１０】
請求項６〜請求項８の何れか１つに記載の情報の前記送受信装置を用いて点字に関する情報を送受信する方法であって、
第１信号を生成するステップと、
第１信号は、前記複数の接触部間において順次又は同時になされる接触のパターンに応じて形成され、且つ、異なる前記接触部間における１回の接続は、点字の隆起ドットの１つとして定義され、
第１又は第２信号を前記振動信号装置における対応振動に変換するステップと、
第１及び第２信号は、前記制御部によって点字の隆起ドットとして定義される信号であり、前記振動信号装置の１回の振動は、点字の隆起ドットの１つに対応しており、
前記制御部によって、前記送受信装置と、コンピュータ又はスマートフォンとの間に第１又は第２信号を提供するステップと、を備えている、方法。
【請求項１１】
請求項１０に記載の方法であって、
点字と、アルファベット又は音声との変換を、前記送受信装置に接続されたコンピュータ又はスマートフォンにインストールされたソフトウェアによって行う、方法。
【請求項１２】
請求項１０に記載の方法であって、
前記制御部は、コンピュータ又はスマートフォンに情報を送受信するため、配線又はワイヤレス接続によってコンピュータ又はスマートフォンに接続するように構成される、方法。
【請求項１３】
請求項１２に記載の方法であって、
前記制御部は、Bluetooth（登録商標）又はWi-Fiによってコンピュータ又はスマートフォンに接続するように構成される、方法。
【手続補正書】
【提出日】令和1年5月29日(2019.5.29)
【手続補正１】
【補正対象書類名】特許請求の範囲
【補正対象項目名】全文
【補正方法】変更
【補正の内容】
【特許請求の範囲】
【請求項１】
システムであって、
複数の命令を格納するメモリと、
前記メモリにアクセスするように構成された１つ以上のプロセッサとを備え、前記１つ以上のプロセッサは、さらに、前記複数の命令を実行して、少なくとも、
アプリケーションに関連するイベントの連続入力ストリームを受信し、
前記イベントの連続入力ストリームを処理して、前記アプリケーションに関連するイベントの出力ストリームを生成し、
前記イベントの出力ストリームにおける出力イベントについて出力シーケンス番号を判断し、
前記イベントの出力ストリームにおける前記出力イベントを送信し、
前記出力イベントの前記出力シーケンス番号を記憶し、
前記イベントの連続入力ストリームが処理されている間に、前記システムの障害の表示を受信し、
前記イベントの出力ストリームにおいて最も最近送信された出力イベントの現在の出力シーケンス番号を判断し、
最も最近処理された入力イベントのバッチに対応する出力イベントの最後の出力シーケンス番号を判断し、
前記現在のシーケンス番号および前記最後の出力シーケンス番号に基づいて送信されるべき前記出力ストリームの１つ以上の出力イベントのセットを判断し、
前記アプリケーションに関連する前記１つ以上の出力イベントのセットを送信するよう構成されている、システム。
【請求項２】
前記１つ以上のプロセッサは、送信されるべき前記１つ以上の出力イベントのセットにおいて１つ以上の出力イベントを除外するようにさらに構成されている、請求項１に記載のシステム。
【請求項３】
前記１つ以上のプロセッサは、前記システムの障害の表示を受信することに基づいて、前記イベントの出力ストリーム内の前記最も最近送信された出力イベントの前記現在の出力シーケンス番号から出力イベントを送信するようにさらに構成されている、請求項１または２に記載のシステム。
【請求項４】
前記１つ以上のプロセッサは、前記イベントの連続入力ストリームから１つ以上のイベントバッチのセットを生成するようにさらに構成されている、請求項１から３のいずれか１項に記載のシステム。
【請求項５】
前記１つ以上のプロセッサは、さらに、
チェックポイントマーカイベントを生成し、
前記チェックポイントマーカイベントを前記イベントの連続入力ストリームに挿入し、
前記チェックポイントマーカイベントに基づいて前記１つ以上のイベントバッチのセットを生成するよう構成されている、請求項４に記載のシステム。
【請求項６】
前記チェックポイントマーカイベントは、前記イベントの連続入力ストリームにおける入力イベントに関連する情報を表す、請求項５に記載のシステム。
【請求項７】
イベントバッチのサイズは、前記チェックポイントマーカイベントに基づいて判断される、請求項５または６に記載のシステム。
【請求項８】
前記１つ以上のプロセッサは、さらに、
前記チェックポイントマーカイベントを処理し、
前記チェックポイントマーカイベントの処理に基づいて、前記１つ以上のイベントバッチのセット内の第１のイベントバッチの処理の完了を示す確認メッセージを送信し、
前記システムの現在の状態のスナップショットを生成するように構成されている、請求項５〜７のいずれか１項に記載のシステム。
【請求項９】
前記システムの現在の状態のスナップショットは、少なくとも前記イベントの第１のバッチに関連する入力待ち行列状態、演算子状態、または出力待ち行列状態のうちの少なくとも１つに関連する情報を含む、請求項８に記載のシステム。
【請求項１０】
前記１つ以上のプロセッサは、前記イベントの出力ストリームにおける出力イベントの出力シーケンス番号を、前記スナップショットの一部として記憶するようにさらに構成されている、請求項８または９に記載のシステム。
【請求項１１】
アプリケーションに関連するイベントの連続入力ストリームを受信することと、
前記イベントの連続入力ストリームを処理して、前記アプリケーションに関連するイベントの出力ストリームを生成することと、
前記イベントの出力ストリームにおける出力イベントについて出力シーケンス番号を判断することと、
前記イベントの出力ストリームにおける前記出力イベントを送信することと、
前記出力イベントの前記出力シーケンス番号を記憶することと、
前記イベントの連続入力ストリームが処理されている間に、前記システムの障害の表示を受信することと、
前記イベントの出力ストリームにおいて最も最近送信された出力イベントの現在の出力シーケンス番号を判断することと、
最も最近処理された入力イベントのバッチに対応する出力イベントの最後の出力シーケンス番号を判断することと、
前記現在のシーケンス番号および前記最後の出力シーケンス番号に基づいて送信されるべき前記出力ストリームの１つ以上の出力イベントのセットを判断することと、
前記アプリケーションに関連する前記１つ以上の出力イベントのセットを送信することとを備える、方法。
【請求項１２】
送信されるべき前記１つ以上の出力イベントのセットにおいて１つ以上の出力イベントを含まないことをさらに備える、請求項１１または１２に記載の方法。
【請求項１３】
前記システムの障害の表示を受信することに基づいて、前記イベントの出力ストリーム内の前記最も最近送信された出力イベントの前記現在の出力シーケンス番号から出力イベントを送信することをさらに備える、請求項１１または１２に記載の方法。
【請求項１４】
前記イベントの連続入力ストリームから１つ以上のイベントバッチのセットを生成することをさらに備え、前記１つ以上のイベントバッチのセットを生成することは、
チェックポイントマーカイベントを生成することと、
前記チェックポイントマーカイベントを前記イベントの連続入力ストリームに挿入することと、
前記チェックポイントマーカイベントに基づいて前記１つ以上のイベントバッチのセットを生成することとを含む、請求項１１から１３のいずれか１項に記載の方法。
【請求項１５】
前記チェックポイントマーカイベントは、前記イベントの連続入力ストリームにおける入力イベントに関連する情報を表し、イベントバッチのサイズは、前記チェックポイントマーカイベントに基づいて判断される、請求項１４に記載の方法。
【請求項１６】
前記チェックポイントマーカイベントを処理することと、
前記チェックポイントマーカイベントの処理に基づいて、前記１つ以上のイベントバッチのセット内の第１のイベントバッチの処理の完了を示す確認メッセージを送信することと、
前記システムの現在の状態のスナップショットを生成することとをさらに備える、請求項１４または１５に記載の方法。
【請求項１７】
請求項１１〜１６のいずれかに記載の方法をコンピュータに実行させるためのプログラム。
【手続補正書】
【提出日】令和1年5月27日(2019.5.27)
【手続補正１】
【補正対象書類名】特許請求の範囲
【補正対象項目名】全文
【補正方法】変更
【補正の内容】
【特許請求の範囲】
【請求項１】
ディスプレイパネルと、
前記ディスプレイパネルから横出力方向に向けられた光を選択的に遮断するための光遮断機構と、
前記ディスプレイパネルの前、且つ前記光遮断機構の前に配置されたレンズのアレイとを含む、ディスプレイデバイスであって、
前記ディスプレイパネルは偏光出力をもち、前記ディスプレイデバイスは、前記光遮断機構が光の偏光に基づいて前記ディスプレイパネルからの横方向に向けられた光出力を遮断するプライバシモードと、前記光遮断機構が横出力方向に向けられた光を通過させるパブリックモードとで構成可能であり、
前記光遮断機構は層のスタックを含み、各層は、前記層のスタックにおいて、２つの異なるタイプの光遮断部材を形成するように光遮断機構部分が整列するような２つの異なるタイプの光遮断機構部分のパターンを含み、
前記ディスプレイパネルに最も近い前記層における一方のタイプ又は両方のタイプの前記光遮断機構部分は、切替え可能偏光回転子を含み、
各光遮断部材は、前記光遮断部材がレンズピッチの２倍の繰り返しパターンのピッチをもつパターンを形成するように、関連する前記レンズに関連づけられ、前記光遮断部材は、レンズ幅に対応する幅を有し、
前記プライバシモードでは、前記切替え可能偏光回転子は、前記光遮断部材が各々、垂直に向けられた光を通過させるが横方向に向けられた光を遮断するように切り替えられる、
ディスプレイデバイス。
【請求項２】
前記光遮断機構の各層は、固定偏光子と、切替え可能偏光子又は偏光回転子との交互配置を含む、
請求項１に記載のディスプレイデバイス。
【請求項３】
前記ディスプレイパネルに最も近い層は、前記固定偏光子と前記切替え可能偏光回転子との交互配置を含み、他の層は、前記固定偏光子と前記切替え可能偏光子との交互配置を含む、請求項２に記載のディスプレイデバイス。
【請求項４】
前記ディスプレイパネルに最も近い前記層を別として前記光遮断機構のすべての層は、交互の偏光方向をもつ固定偏光子の交互配置を含み、前記ディスプレイパネルに最も近い前記層は、両方のタイプの前記光遮断機構部分を形成する切替え可能偏光回転子のアレイを含む、
請求項１に記載のディスプレイデバイス。
【請求項５】
前記光遮断部材は、前記表示パネルへ法線方向からオフセットされている、請求項１に記載のディスプレイデバイス。
【請求項６】
前記層のスタックは３つ又は４つの層を含む、請求項１乃至５の何れか一項に記載のディスプレイデバイス。
【請求項７】
偏光出力をもつディスプレイパネルを用意するステップと、
光の偏光に基づいて前記ディスプレイパネルから横出力方向に向けられた光を選択的に遮断するための光遮断機構を形成するステップと、
前記ディスプレイパネルの上に前記光遮断機構を装着するステップと、
前記ディスプレイパネルの前、且つ前記光遮断機構の前にレンズのアレイを設けるステップと
を有する、ディスプレイデバイスを製造する方法であって、
前記光遮断機構を形成するステップは層のスタックを形成するステップを有し、各層は、２つの異なるタイプの光遮断機構部分のパターンを含み、前記ディスプレイパネルに最も近い前記層における一方のタイプ又は両方のタイプの前記光遮断機構部分は、切替え可能偏光回転子を含み、前記層のスタックにおいて、前記光遮断機構部分は、２つの異なるタイプの光遮断部材を形成するように整列し、各光遮断部材は、前記光遮断部材がレンズピッチの２倍の繰り返しパターンのピッチをもつパターンを形成するように、関連する前記レンズに関連づけられ、前記光遮断部材は、レンズ幅に対応する幅を有し、前記ディスプレイデバイスは、前記光遮断機構が光の偏光に基づいて前記ディスプレイパネルからの横方向に向けられた光出力を遮断するプライバシモードと、前記光遮断機構が横出力方向に向けられた光を通過させるパブリックモードとで構成可能であり、前記プライバシモードでは、前記切替え可能偏光回転子は、前記光遮断部材が各々、垂直に向けられた光を通過させるが横方向に向けられた光を遮断するように切り替えられる、
方法。
【請求項８】
前記光遮断機構の各層を、固定偏光子と、切替え可能偏光子又は偏光回転子との交互配置として形成するステップを含む、請求項７に記載の方法。
【請求項９】
前記ディスプレイパネルに最も近い層は、前記固定偏光子と前記切替え可能偏光回転子との交互配置を含み、他の層は、前記固定偏光子と前記切替え可能偏光子の交互配置を含む、請求項８に記載の方法。
【請求項１０】
前記ディスプレイパネルに最も近い前記層を別として前記光遮断機構のすべての層を、交互の偏光方向をもつ固定偏光子の交互配置として形成し、前記ディスプレイパネルに最も近い前記層を、両方のタイプの前記光遮断機構部分を形成する切替え可能偏光回転子のアレイとして形成するステップを含む、請求項７に記載の方法。
【請求項１１】
前記層のスタックは３つ又は４つの層を含む、請求項７乃至１０の何れか一項に記載の方法。
【請求項１２】
請求項２又は３に記載のディスプレイデバイスを制御する方法であって、
それぞれの前記層がパブリックモードのための均一な偏光子として又はプライバシモードのためのストライプ偏光子として機能するように、前記偏光回転子を制御するステップを有する、方法。
【請求項１３】
請求項４又は５に記載のディスプレイデバイスを制御する方法であって、
一次ビューイングコーンの光がディスプレイ出力部まで通ることができ、二次ビューイングコーンが遮断されるように、１つの切替え状態において前記切替え可能偏光回転子を制御するステップと、前記一次ビューイングコーンの光が遮断され、前記二次ビューイングコーンの光が前記ディスプレイ出力部まで通ることができる別の切替え状態において、前記切替え可能偏光回転子を制御するステップとを有する、方法。
【誤訳訂正書】
【提出日】令和1年10月10日(2019.10.10)
【誤訳訂正１】
【訂正対象書類名】特許請求の範囲
【訂正対象項目名】全文
【訂正方法】変更
【訂正の内容】
【特許請求の範囲】
【請求項１】
模倣できない生物粒子（１０）のパターンによって特徴づけられた、セキュリティタグであって、前記生物粒子は、基材（８）上で、有機体から透明な接着層（９）に直接に転写され、透明な層（１４）で覆われており、前記生物粒子（１０）が、前記基材（８）と前記層（１４）との間に封じ込められている、セキュリティタグ。
【請求項２】
生物粒子（１０）の前記パターンが、バーコードまたはＱＲコード（登録商標）の形状を有する、請求項１に記載のセキュリティタグ。
【請求項３】
生物粒子（１０）の前記パターンが、人間の頭部のシルエットの形状を有する、請求項１に記載のセキュリティタグ。
【請求項４】
生物粒子（１０）の前記パターンが指紋の形状を有する、請求項１に記載のセキュリティタグ。
【請求項５】
前記生物粒子（１０）は、複数の生物粒子であり、機械切削またはレーザカットによって、前記複数の生物粒子（１０）に情報が公然と記されている、請求項１から４のいずれかに記載のセキュリティタグ。
【請求項６】
前記生物粒子（１０）は、複数の生物粒子であり、前記複数の生物粒子（１０）の蛍光を永続的に脱色することによって、前記複数の生物粒子（１０）に情報が秘密裏に記されている、請求項１から４のいずれかに記載のセキュリティタグ。
【請求項７】
前記生物粒子（１０）が、チョウ目の鱗粉、刺毛または剛毛、コウチュウ目の皮膚の薄片、トビケラ目の刺毛または剛毛、およびクモ目の皮膚の薄片の中から選択された、請求項１から６のいずれかに記載のセキュリティタグ。
【請求項８】
前記生物粒子（１０）が、複数の異なる種からとられたものであり、前記基材（８）上で所定のパターンに組み立てられている、請求項７に記載のセキュリティタグ。
【請求項９】
前記層（１４）の選択された部分が透明な接着層で覆われており、前記接着層が、前記生物粒子（１０）と永続的に接着している、請求項７または８に記載のセキュリティタグ。
【請求項１０】
請求項１から９のいずれかに記載のセキュリティタグを、商品、物品、および文書の識別および認証に使用する方法。
【請求項１１】
請求項１から９のいずれかに記載のセキュリティタグを製造する方法であって、
（１）表面にある少なくとも１つの生物粒子（１０）を提供するステップと、
（２）低表面エネルギーの接着層を有する光学的に透明なテープを、所定の形状に切断して、予め切断された第１のテープを形成するステップと、
（３）前記予め切断された第１のテープを、前記生物粒子（１０）を含む前記表面に押し当てるステップと、
（４）前記予め切断された第１のテープを、前記生物粒子（１０）を含む前記表面から剥がすステップであって、前記予め切断された第１のテープに前記生物粒子（１０）の過半数が付着した状態となる、ステップと、
（５）生物粒子（１０）が付着し、前記予め切断された第１のテープを、光学的に透明であり、高表面エネルギーを有し、接着性である、第２のテープに、接着層が互いに向かい合うような態様で接触させるステップと、
（６）前記予め切断された第１のテープを持ち上げて前記第２のテープから剥がすステップと、
（７）光学的に透明な第３のテープで前記第２のテープを覆うステップであって、前記第３のテープは、前記第２のテープよりも小さく、商品、物品または文書に取り付けるために、準備ができた前記セキュリティタグを形成する、ステップと
を含む方法。
【誤訳訂正２】
【訂正対象書類名】明細書
【訂正対象項目名】００２０
【訂正方法】変更
【訂正の内容】
【００２０】
好ましくは、生物粒子が、チョウ目（Lepidoptera）の鱗粉、刺毛（hair）または剛毛（bristle）、コウチュウ目（Coleoptera）の皮膚の薄片、トビケラ目（Trichoptera）の刺毛または剛毛、およびクモ綱（Arachnida）の皮膚の薄片の中から選択される。
【手続補正書】
【提出日】令和1年11月18日(2019.11.18)
【手続補正１】
【補正対象書類名】特許請求の範囲
【補正対象項目名】全文
【補正方法】変更
【補正の内容】
【特許請求の範囲】
【請求項１】
タンパク質のＰＥＧ化反応のための改良された添加物系を含む組み合わせ生成物であって、前記系がｐ−アミノ安息香酸ヒドラジドを、芳香族アミンまたはアンモニウム塩との組み合わせで含み、前記芳香族アミンが３，５−ジアミノ安息香酸、ｏ−フェニレンジアミン、１−ピリジン−２−イル−エチルアミン、２−（ジメチルアミノ）エチルヒドラジン、ｍ−フェニレンジアミンおよび２−ピコリルアミンから成る群から選択され、前記アンモニウム塩が酢酸アンモニウムおよび塩化アンモニウムから成る群から選択される、組み合わせ生成物。
【請求項２】
前記系が、ｐ−アミノ安息香酸ヒドラジドと３，５−ジアミノ安息香酸、またはｐ−アミノ安息香酸ヒドラジドと塩化アンモニウムの組み合わせを含む、請求項１に記載の組み合わせ生成物。
【請求項３】
前記反応が、ｐ−アセチルフェニルアラニン残基を含むタンパク質とアミノオキシ−ＰＥＧ化合物との間の結合反応である、請求項１に記載の組み合わせ生成物。
【請求項４】
前記系が結合反応速度を増大させ、高収率の結合生成物を提供し、結合反応の完了に必要とされるアミノオキシ−ＰＥＧの当量の減少を促進する、請求項３に記載の組み合わせ生成物。
【請求項５】
タンパク質のＰＥＧ化反応のための改良された添加物系の使用であって、前記系がｐ−アミノ安息香酸ヒドラジドを単体で、または芳香族アミンもしくはアンモニウム塩との組み合わせで含む、使用。
【請求項６】
前記芳香族アミンが３，５−ジアミノ安息香酸、ｏ−フェニレンジアミン、１−ピリジン−２−イル−エチルアミン、２−（ジメチルアミノ）エチルヒドラジン、ｍ−フェニレンジアミンおよび２−ピコリルアミンから成る群から選択される、請求項５に記載の使用。
【請求項７】
前記アンモニウム塩が酢酸アンモニウムおよび塩化アンモニウムから成る群から選択される、請求項５に記載の使用。
【請求項８】
前記系がｐ−アミノ安息香酸ヒドラジドと３，５−ジアミノ安息香酸、またはｐ−アミノ安息香酸ヒドラジドと塩化アンモニウムを含む、請求項５に記載の使用。
【請求項９】
前記反応がｐ−アセチルフェニルアラニン残基を含むタンパク質とアミノオキシ−ＰＥＧ化合物との間の結合反応である、請求項５に記載の使用。
【請求項１０】
前記系が結合反応速度を増大させ、高収率の結合生成物を提供し、結合反応の完了に必要とされるアミノオキシ−ＰＥＧの当量の減少を促進する、請求項９に記載の使用。
【請求項１１】
請求項５〜１０のいずれか１項に記載の使用によって得られたＰＥＧ化タンパク質を含む、治療を必要とする対象の治療に用いるための医薬組成物。
【請求項１２】
ＰＥＧ化タンパク質を得るための方法であって、以下のステップ：
（ａ）タンパク質、ＰＥＧ試薬、および添加物系を特定すること；
（ｂ）タンパク質を溶解させ、次いで、添加物系の存在下でタンパク質とＰＥＧ試薬を合わせること；および
（ｃ）タンパク質をＰＥＧ試薬と反応させて、ＰＥＧ化タンパク質を高収率で得ること
を含み、前記系がｐ−アミノ安息香酸ヒドラジドを含む、前記方法。
【請求項１３】
前記タンパク質がｐ−アセチルフェニルアラニン残基を有する、請求項１２に記載の方法。
【請求項１４】
前記タンパク質がｐ−アセチルフェニルアラニン残基を含むレラキシンまたはＦＧＦ２１である、請求項１２に記載の方法。
【請求項１５】
添加物系の存在下でＰＥＧ試薬と合わせた可溶化タンパク質を、約４のｐＨで維持する、請求項１２に記載の方法。
【請求項１６】
添加物系の存在下でＰＥＧ試薬と合わせた可溶化タンパク質を、約２０℃から約２５℃の範囲の温度で維持する、請求項１２に記載の方法。
【請求項１７】
前記系が、ｐ−アミノ安息香酸ヒドラジドを３，５−ジアミノ安息香酸などの芳香族アミンとの組み合わせ、または酢酸アンモニウムもしくは塩化アンモニウムなどのアンモニウム塩との組み合わせで含む、請求項１２に記載の方法。
【請求項１８】
前記系がさらに、塩化アンモニウムを含む、請求項１２に記載の方法。
【請求項１９】
前記ＰＥＧ試薬が、ＰＥＧ−ＯＡおよびアミノオキシ基を有する他のＰＥＧ誘導体を含む群から選択される、請求項１２に記載の方法。
【請求項２０】
治療を必要とする対象の治療に用いるための、請求項１２から１９のいずれか１項に記載の方法によって得られるＰＥＧ化タンパク質を含む医薬組成物。